(57)【要約】【課題】安定して保守車両を昇降させ、かつ、ストロークを有効に活用でき、水平移動性にも優れた保守車両昇降装置を提供する。【解決手段】保守車両１００を水平方向に移動させる水平移動手段４と、水平移動手段４に固定され、保守車両１００を鉛直方向に昇降させる昇降手段２と、を備え、水平移動手段４は、当該保守車両の幅方向に延在して配置され、保守車両の幅方向外側端部を開放された大箱４ａと、大箱４ａの該中空の部分に摺動自在に配置され、大箱４ａの幅方向外側端部から露出可能で、当該保守車両の幅方向外側に突出可能な小箱４ｂと、小箱４ｂの該中空の部分に取り付けられ、水平方向に駆動される水平移動用シリンダ７ａと、を備え、昇降手段２は、その上部を小箱４ｂの当該保守車両の幅方向外側端部に取り付けられ、鉛直方向に伸縮自在に構成された昇降用シリンダ３ａを備える。【選択図】      図１
2007320491.tif 000002
【特許請求の範囲】
【請求項１】
軌道レールの保守作業を行なう保守車両を昇降したり水平方向に移動したりする保守車両昇降装置であって、
当該保守車両の前後左右の４隅の車体ベース部の各々に配置され、当該保守車両を水平方向に移動させるための水平移動用シリンダを有する水平移動手段と、当該水平移動手段に固定され、当該保守車両を昇降するための昇降用シリンダを有する昇降手段と、を備え、
前記水平移動手段は、
当該保守車両の幅方向に延在して配置され、かつ、その中を中空に形成され、当該保守車両の幅方向外側端部を開放された大箱と、
前記大箱の該中空の部分に摺動自在に配置され、前記大箱の前記幅方向外側端部から露出し、当該保守車両の幅方向外側に突出可能で、かつ、その中を中空に形成された小箱と、
を備え、前記水平移動用シリンダは、前記小箱の該中空の部分に収容され、かつ、前記大箱に固定され、前記水平移動用シリンダのピストンロッドは、前記小箱に固定され、前記昇降用シリンダは、前記小箱の端部に取り付けられ、前記小箱と共に移動可能に構成されていることを特徴とする保守車両昇降装置。
【請求項２】
当該小箱を当該保守車両の幅方向外側に伸長させるためのガイドとして、前記小箱に当接して回転するローラを備えたことを特徴とする請求項１に記載の保守車両昇降装置。
【請求項３】
軌道レールの保守作業を行なう保守車両を昇降したり水平方向に移動したりする保守車両昇降方法であって、
当該保守車両の前後左右の４隅の車体ベース部の各々において、当該保守車両を水平移動用シリンダを用いて水平方向に移動させる水平移動ステップと、当該保守車両を昇降用シリンダを用いて昇降させる昇降ステップと、を含み、
前記水平移動ステップにおいて、
当該保守車両の幅方向に延在し、かつ、その中を中空に形成され、当該保守車両の幅方向外側端部を開放された大箱を配置するステップと、
前記大箱の該中空の部分に摺動自在な小箱を配置するステップと、
を含み、前記小箱は、前記大箱の前記幅方向外側端部から露出し、当該保守車両の幅方向外側に突出可能で、かつ、その中を中空に形成され、前記水平移動用シリンダは、前記小箱の該中空の部分に収容され、かつ、前記大箱に固定され、前記水平移動用シリンダのピストンロッドは、前記小箱に固定され、前記昇降用シリンダは、前記小箱の端部に取り付けられ、前記小箱と共に移動可能であることを特徴とする保守車両昇降方法。
【請求項４】
当該小箱を当該保守車両の幅方向外側に伸長させるためのガイドとして、前記小箱に当接して回転するローラを用いることを特徴とする請求項３に記載の保守車両昇降方法。
【発明の詳細な説明】
【技術分野】
【０００１】
本発明は、鉄道の線路上を走行して当該鉄道の保守点検作業を行う鉄道用保守車両を昇降させる保守車両昇降装置に係り、特に、線路から脱落した保守車両を当該線路上に安全に戻して回復させる際、あるいは車両のメンテナンスの際、保守車両を昇降させる保守車両昇降装置および保守車両昇降方法に関する。
【背景技術】
【０００２】
従来、鉄道の線路に沿って設置された河川、トンネル、橋梁などの構造物は、定期的に保守点検作業が行われ、鉄道輸送の安全が保たれている。このため、作業員を乗せる昇降台や重量物を吊り上げるクレーンなどの作業装置を搭載した、線路上を走行可能な鉄道用の保守車両が広く用いられている。
しかしながら、例えば、線路がカーブしている場所においては、カーブ部分を走行する鉄道車両の車体に作用する遠心力を打ち消すために、カーブ内側の線路をカーブ外側の線路より低く設置する、いわゆるカントが付けられ、保守車両がこのようなカント部分に停止して保守点検を行う際には、保守車両がカントの分だけ傾き、安定して保守作業を行うことができず、最悪の場合には、保守車両が脱線して次の作業ができなくなるという事態も起こっていた。
【０００３】
このため、特許文献１に記載の脱線回復装置では、保守車両が脱線した場合に回復する脱線回復装置が提案されている。この装置は、鉄道の敷設レールの高低や曲がりを生成する各種装置を備えた保守車両であって、保守車両の本体ベースに該車両の幅方向に案内面が配置されて固定されたガイドレール、及びそのガイドレールに案内されるブロックを有し、直線方向に駆動される油圧シリンダ等の駆動体がブロックに固定され、その駆動体の出力部が本体ベースに取り付けられた水平移動手段と、ブロックに上部が固定されて伸縮自在に地上に垂下されるジャッキ手段と、を具備する装置である。
【特許文献１】特開平６−２１９２７６号公報
【発明の開示】
【発明が解決しようとする課題】
【０００４】
しかしながら、この装置においては、リフト用シリンダが車両内側に設けられているため、カント部分に停止している場合、あるいは車両のメンテナンスの際、不安定となり、再度脱落してしまう恐れがあり、また、水平移動する際にも、シリンダとガイドレールとを用いているために逃げが少なく、ストロークが有効に活用できないという問題があった。
本発明は、上述した事情を鑑みてなされたものであって、保守車両を脱線から回復させる際、あるいは車両のメンテナンスの際、安定して保守車両を昇降させ、かつ、ストロークを有効に活用でき、水平移動性にも優れた保守車両昇降装置および保守車両昇降方法を提供することを目的としている。
【課題を解決するための手段】
【０００５】
上記目的を達成するために、本発明の保守車両昇降装置は、
軌道レールの保守作業を行なう保守車両を昇降したり水平方向に移動したりする保守車両昇降装置であって、
当該保守車両の前後左右の４隅の車体ベース部の各々に配置され、当該保守車両を水平方向に移動させるための水平移動用シリンダを有する水平移動手段と、当該水平移動手段に固定され、当該保守車両を昇降するための昇降用シリンダを有する昇降手段と、を備え、
前記水平移動手段は、当該保守車両の幅方向に延在して配置され、かつ、その中を中空に形成され、当該保守車両の幅方向外側端部を開放された大箱と、前記大箱の該中空の部分に摺動自在に配置され、前記大箱の前記幅方向外側端部から露出し、当該保守車両の幅方向外側に突出可能で、かつ、その中を中空に形成された小箱と、を備え、前記水平移動用シリンダは、前記小箱の該中空の部分に収容され、かつ、前記大箱に固定され、前記水平移動用シリンダのピストンロッドは、前記小箱に固定され、前記昇降用シリンダは、前記小箱の端部に取り付けられ、前記小箱と共に移動可能に構成されていることを特徴としている。
また、当該小箱を当該保守車両の幅方向外側に伸長させるためのガイドとして、前記小箱に当接して回転するローラを備えると好ましい。
【０００６】
また、本発明の保守車両昇降方法は、
軌道レールの保守作業を行なう保守車両を昇降したり水平方向に移動したりする保守車両昇降方法であって、当該保守車両の前後左右の４隅の車体ベース部の各々において、当該保守車両を水平移動用シリンダを用いて水平方向に移動させる水平移動ステップと、当該保守車両を昇降用シリンダを用いて昇降させる昇降ステップと、を含み、
前記水平移動ステップにおいて、当該保守車両の幅方向に延在し、かつ、その中を中空に形成され、当該保守車両の幅方向外側端部を開放された大箱を配置するステップと、前記大箱の該中空の部分に摺動自在な小箱を配置するステップと、を含み、前記小箱は、前記大箱の前記幅方向外側端部から露出し、当該保守車両の幅方向外側に突出可能で、かつ、その中を中空に形成され、前記水平移動用シリンダは、前記小箱の該中空の部分に収容され、かつ、前記大箱に固定され、前記水平移動用シリンダのピストンロッドは、前記小箱に固定され、前記昇降用シリンダは、前記小箱の端部に取り付けられ、前記小箱と共に移動可能であることを特徴としている。
また、当該小箱を当該保守車両の幅方向外側に伸長させるためのガイドとして、前記小箱に当接して回転するローラを用いると好ましい。
【０００７】
以上の構成によれば、保守車両を脱線から回復させる際、安定して保守車両を昇降させ、かつ、ストロークを有効に活用でき、水平移動性にも優れた保守車両昇降装置を提供することができる。
また、昇降用シリンダが車両幅の外側に突出するため、たとえカントがある場所でも安定性良く車両を昇降することができる。
【発明を実施するための最良の形態】
【０００８】
以下、図面を参照して、本発明の実施形態について説明する。
＜第１実施形態＞
まず、図１〜図５を参照して、本発明の第１実施形態について説明する。
図１は、本発明の第１実施形態に係る保守車両昇降装置の全体構成を示す正面図であり、図２は、その平面図である。また、図３は、本発明の第１実施形態に係る保守車両昇降装置の構成を示す正面拡大図であり、図４は、その側面図である。
図１および図２に示すように、この装置１は、保守車両１００の前後左右の下部の車体のフレーム（ベース部）１００ａであって、レール３０および車輪２０の外側に４個配置され、それぞれ、保守車両１００を上下に昇降させるための昇降手段２と、保守車両１００を車両幅方向に水平移動させるための水平移動手段４とを備えている。
【０００９】
なお、図２に示すように、本発明の前部２個の保守車両昇降装置１の配置角度は、後部レール２０のほぼ中心点をＡとすると、点Ａを中心とした同一の円上に配置されるように構成され、後部２個の保守車両昇降装置１の配置角度も同様に、前部レール２０のほぼ中心点Ｂを中心とした同一の円上に配置されるように構成されている。
本発明は、上記構成により、マルチプルタイダンパ、バラストレギュレータ等の万一の脱線緊急時、早急に軌道上に車両復旧をするための装置である。
【００１０】
以下、図３および図４を参照して、各部の詳細について説明する。
上述したように、本発明の保守車両昇降装置１は、保守車両１００の前後左右の４隅の車体ベース部の各々に配置され、保守車両１００を水平方向に移動させるための水平移動用シリンダ７ａを有する水平移動手段４と、水平移動手段に固定され、保守車両１００を昇降するための昇降用シリンダ３ａを有する昇降手段２と、を備え、水平移動手段４は、保守車両１００の幅方向に延在して配置され、かつ、その中を中空に形成され、保守車両１００の幅方向外側端部を開放された大箱４ａと、大箱４ａの中空の部分に摺動自在に配置され、大箱４ａの保守車両１００の幅方向外側端部から露出し、保守車両１００の幅方向外側に突出可能で、かつ、その中を中空に形成された小箱４ｂと、を備え、水平移動用シリンダ７ａは、小箱４ｂの該中空の部分に収容され、かつ、大箱４ａに固定され、水平移動用シリンダ７ａのピストンロッド７ｂは、小箱４ｂに固定され、昇降用シリンダ３ａは、小箱４ｂの端部に取り付けられ、小箱４ｂと共に移動可能に構成されている．また、小箱４ｂを保守車両１００の幅方向外側に伸長させるためのガイドとして、小箱４ｂに当接して回転するローラ６ａ，６ｂを備える。
【００１１】
昇降手段２は、動力源として、例えば油圧が用いられ、その昇降用シリンダ３ａの下端から突出されたピストンロッド３ｂの先端は、昇降手段２を軌道レール傍の地上に安定して設置するための支持ブロック４０によって支持されている。
昇降用シリンダ３ａの側面には、油圧管接続部（図示せず）が設けられ、油圧管接続部の先は油圧ホース（図示せず）に接続され、さらに油圧回路（図示せず）に接続されている。
【００１２】
なお、昇降手段２は、使用時には、上部に配置される水平移動手段４にビス、ピン等で取り付けられ、鉛直方向に垂らして使用するが、不使用時は、縦長の部分をほぼ９０度旋回させて、水平方向にしておくこともできる。構成としては、使用時にはピンなどを用いて２箇所で固定し、不使用時には２個のピンのうちの１個を外して残りのピンを中心にして旋回させれば水平に旋回させることができる。
【００１３】
水平移動手段４は、動力源として、油圧操作される水平移動用シリンダ７ａ、ピストンロッド７ｂを備え、ピストンロッド７ｂは、筒状に形成された小さい箱からなる小箱４ｂに第２のピン８ｂによって固定されている。水平移動用シリンダ７ａは、筒状に形成され小箱４ｂを摺動可能に収納する大箱７ｂに第１のピン８ａによって固定されている。水平移動用シリンダ７ａの側面には、昇降用シリンダ３ａと同様に、油圧管接続部（図示せず）が設けられ、油圧管接続部の先は油圧ホース（図示せず）に接続され、さらに油圧回路（図示せず）に接続されている。そして、油圧によるピストンロッド７ｂの伸長に伴って保守車両１００の幅方向外側に向かって小箱４ｂが大箱４ａから露出され、所定の長さまで伸びた後、所定の係合手段（図示せず）により固定される。その際、小箱４ｂを正常に伸長させて露出するためのガイドとして上部に第１のローラ６ａ，下部に第２のローラ６ｂを配置している。小箱４ｂが伸長された結果、図３の矢印に示すように保守車両１００の幅方向外側に大きく突出している。
【００１４】
なお、上述した４個の保守車両昇降装置１をまとめて操作するための操作ユニットを備えておくと便利である。すなわち、左右前後の昇降用シリンダ３ａのそれぞれを操作するための操作ボタン、左右前後の水平移動用シリンダ７ａのそれぞれを操作するための操作ボタン、単独動作／連動動作を切替えるための操作ボタン、制御ボックス接続コネクタ、予備回路、および緊急時に押すことにより作動圧力を０にするための緊急ストップスイッチなどを配置した操作盤を備え、さらに、制御ボックスに直流電源が供給されているとき点灯する電源パイロットランプ、油圧ポンプに圧力が発生している時点灯する油圧パイロットランプ、使用する基板を選択する制御基板、および操作ユニットを接続するコネクタ等を配置した制御部を備えているとより好ましい。
【００１５】
次に、図５を参照して、本発明の保守車両昇降装置の作用について説明する。
図５は、本発明の第１実施形態に係る保守車両昇降装置の効果を示す概略図である。同図（ａ）は本発明の安定性、（ｂ）は従来例の安定性、（ｃ）は本発明の水平移動性、（ｄ）は従来例の水平移動性を示す。
同図（ａ）に示すように、本発明の保守車両昇降装置の場合は、昇降（リフト）用シリンダが車両幅方向外側に突出するので、カントがついても、安定しているが、同図（ｂ）に示すように、従来例においては、リフト用シリンダは常に車両幅方向の内側に配置されている状態なので、軌道レールに例えばカントがつくと、重心が移動し極めて不安定な状態になってしまう。したがって、本発明によれば昇降時の安定性が極めて優れていることが分かる。
【００１６】
また、同図（ｃ）に示すように、本発明の保守車両昇降装置の場合は、横移動もスムーズで、ガイドが専用設計のため、横移動のストロークが、有効に使用できるが、同図（ｄ）に示すように、従来例においては、横移動が重くなるときがあり、用いているガイドが市販ガイドのため、逃げが少なくストロークが有効に使用できないため、盛り返し作業が多くなり、横移動がスムーズに行われない。したがって、本発明によれば、横移動性も優れた昇降装置を提供できる。
以上説明したように、本発明の保守車両昇降装置によれば、昇降用シリンダが車両幅の外側に突出するため、たとえカントがある場所でも安定性良く車両を昇降することができる。
また、横移動もスムーズに行われ、ストロークが有効に使用できるため、盛り返し作業が少ないという効果が得られる。
【００１７】
＜第２実施形態＞
次に、本発明の保守車両昇降装置の第２実施形態について説明する。
図６は、本発明の第２実施形態の構成を示す正面図である。
本実施形態は、基本的構成は、上述した第１実施形態と同様であるが、水平移動手段４の部分が異なり、小箱４ｂを案内するローラが上部のローラ１６ａのみとなり、より簡単な構成にしたものである。そして、このローラ１６ａを支持するためのローラ支持体１６も前述した第１実施形態と比較して小さくなっている。本実施形態においても、同様の効果が得られるが、下部のローラを省略しているため、あまり負荷がかかる作業には不適であり、場合によって、第１実施形態と使い分けることが必要になる。
【００１８】
以上、本発明の車両昇降装置を実施形態に沿って説明してきたが、本発明は、この実施形態に限定されず、本発明の趣旨を逸脱しない範囲で種々の変更が可能である。
例えば、上述した実施形態においては、油圧を利用してシリンダを動かしたが、これに限定されず、種々の動力源を使用できることは言うまでもない。
また、上述した実施形態においては、保守車両の前後左右の４箇所に接地するとしたが、これに限定されず、任意の場所に設置可能であり、さらに、４箇所で４個使用することに限定されず、単独で使用することも、より多く設置することも可能である。
【００１９】
さらに、上述した実施形態においては、保守車両に限定したが、これに限定されず、一般車両、他の荷車など、種々の用途に使用できる。
また、上述した実施形態においては、脱線復旧の場合における使用に限定して説明したが、これに限定されず、車両の定期的なメンテナンスにも有効に使用できる。また、実際の現場においては、車両のメンテナンスのための車体昇降に用いる場合が大半である。例えば、車両下回りの装置の点検や台車（車輪、車軸）の修繕は、長時間、車体を浮かせた状態にしておくので、安定性が特に必要となる。また、シリンダ側面にダブルパイロットチェック弁を取り付けることによりリフトアップ用シリンダを長期固定することができる。
【図面の簡単な説明】
【００２０】
【図１】本発明の第１実施形態に係る保守車両昇降装置の全体構成を示す正面図である。
【図２】本発明の第１実施形態に係る保守車両昇降装置の全体構成を示す平面図である。
【図３】本発明の第１実施形態に係る保守車両昇降装置の構成を示す正面拡大図である。
【図４】本発明の第１実施形態に係る保守車両昇降装置の構成を示す側面図である。
【図５】本発明の第１実施形態に係る保守車両昇降装置の効果を示す概略図である。（ａ）は本発明の安定性、（ｂ）は従来例の安定性、（ｃ）は本発明の水平移動性、（ｄ）は従来例の水平移動性を示す。
【図６】本発明の第２実施形態に係る保守車両昇降装置の構成を示す正面拡大図である。
【符号の説明】
【００２１】
１…保守車両昇降装置、２…昇降手段、３ａ…昇降用シリンダ、３ｂ…ピストンロッド、４…水平移動手段、４ａ，１４…大箱、４ｂ，１４ｂ…小箱、６，１６…ローラ支持体、６ａ…第１のローラ、６ｂ…第２のローラ、７ａ…水平移動用シリンダ、７ｂ…ピストンロッド、８ａ…第１のピン、８ｂ…第２のピン、リンダ、１６ａ…ローラ、２０…車輪、３０…レール、４０…支持ブロック、１００…保守車両、１００ａ…車体のフレーム
【図１】
2007320491.tif 000003
【図２】
2007320491.tif 000004
【図３】
2007320491.tif 000005
【図４】
2007320491.tif 000006
【図５】
2007320491.tif 000007
【図６】
2007320491.tif 000008